(57)【要約】【課題】外観及び組立施工性に優れ、且つがたつきのない強度の高い取り付けが可能なパネル組立て体を提供する。【解決手段】本発明のパネル組立て体１は、連結シャフト７の一方側フランジ１３と他方側フランジ１５とでパネル３を挟着すると共に、パネル３の内部に設けた一方側突部３１の凹部３５が連結シャフト７の一方側傾斜部２３を呑み込んで、他方側突部３３の凹部３７が連結シャフト７の他方側傾斜部２５を呑み込んでおり、パネル３の一方側突部３１を中間フランジ１７の肉厚部１９と一方側傾斜部２３に圧接し、パネル３の他方側突部３３を中間フランジ１７の肉厚部１９と他方側傾斜部２５に圧接し、パネル３の略く字状凹部４５に中間フランジ１７の曲面部２１を圧接している。【選択図】      図１
2004215678.tif 000002
【特許請求の範囲】
【請求項１】
パネルと、連結シャフトとを備え、連結シャフトは一方側フランジと中間フランジと他方側フランジとをこの順序で周方向に間隔をおいて有し且つ各フランジは長手方向に沿って設けてあり、中間フランジは、その基端部に設けた肉厚部と、先端部に設けた曲面部と、基端部と先端部との間の中間部の一方側フランジ側に設けた一方側傾斜部と他方側フランジ側に設けた他方側傾斜部とを備え、各傾斜部は各フランジ側を向くように傾斜しており、パネルは一方側傾斜部を呑み込む凹部を設けた一方側突部と、他方側傾斜部を呑み込む凹部を設けた他方側突部と、略く字状の凹部を設けてあり且つ両突部を連結する連結部とを、内部に有し、一方側フランジと他方側フランジとでパネルを挟着すると共に、パネルの一方側突部を中間フランジの肉厚部と一方側傾斜部に当接し、パネルの他方側突部を中間フランジの肉厚部と他方側傾斜部に当接し、パネルの略く字状凹部に中間フランジの曲面部を当接していることを特徴とするパネル組立て体。
【発明の詳細な説明】
【０００１】
【発明の属する技術分野】
本発明は、連結シャフトでパネルを組立てたパネル組立て体に関する。
【０００２】
【従来の技術】
この種の技術として、特許文献１には、連結シャフトの長手方向に沿って突出したフランジを周面に設け、パネル端部に固定した係合部材を、連結シャフトの長手方向端部からフランジ間に挿入し、フランジの先端に設けた突起をパネルに設けた係合溝に嵌合する構成が開示されている。
【０００３】
【特許文献１】
特開２００１−９８６９８号公報
【０００４】
【発明が解決しようとする課題】
しかし、特許文献１に開示の従来技術では、パネルを挟むフランジの突起をパネルの係合溝に嵌合するだけであるから、パネルが連結シャフトの長手方向及びこれに交差する方向にがたつくおそれがある。特に、パネルに荷重がかかる場合にはがたつきやすくなるため、特許文献１の技術を荷重がかかるパネルには適用できない。
本発明は、外観及び組立て施工性に優れ、且つがたつきのない強度の高い取り付けが可能なパネル組立て体の提供を目的とする。
【０００５】
【課題を解決するための手段】
請求項１に記載の発明は、パネルと、連結シャフトとを備え、連結シャフトは一方側フランジと中間フランジと他方側フランジとをこの順序で周方向に間隔をおいて有し且つ各フランジは長手方向に沿って設けてあり、中間フランジは、その基端部に設けた肉厚部と、先端部に設けた曲面部と、基端部と先端部との間の中間部の一方側フランジ側に設けた一方側傾斜部と他方側フランジ側に設けた他方側傾斜部とを備え、各傾斜部は各フランジ側を向くように傾斜しており、パネルは一方側傾斜部を呑み込む凹部を設けた一方側突部と、他方側傾斜部を呑み込む凹部を設けた他方側突部と、略く字状の凹部を設けてあり且つ両突部を連結する連結部とを、内部に有し、一方側フランジと他方側フランジとでパネルを挟着すると共に、パネルの一方側突部を中間フランジの肉厚部と一方側傾斜部に当接し、パネルの他方側突部を中間フランジの肉厚部と他方側傾斜部に当接し、パネルの略く字状凹部に中間フランジの曲面部を当接していることを特徴とする。
【０００６】
この請求項１に記載の発明では、パネル組立て体の組立ては、連結シャフトの長手方向において、一方側フランジと他方側フランジとの間にパネルを嵌めることにより、パネルを連結シャフトに装着して組立てる。したがって、パネルの各所をドライバーを用いてネジ留めする作業が必要ないので、組立て施工性に優れる。また、ネジ留めがないから、外観が良い。
パネルを組立てた状態では、パネルの一方側突部と他方側突部が中間フランジの肉厚部に当接し、一方側突部が中間フランジの一方側傾斜部に当接し、他方側突部が中間フランジの他方側傾斜部に当接し、中間フランジの先端にある曲面部がパネルの略く字状の凹部に当接し、且つ一方側フランジと他方側フランジとでパネルの両外面に当接しているので、パネルには連結シャフトの長手方向に交差する方向では四方が当接し且つ多数の点で当接しているので、高い強度で連結シャフトにパネルを取り付けているとともに、連結シャフトの長手方向及びこれに交差する方向のがたつきがない。
このように、連結シャフトの長手方向及び交差する方向のいずれの方向のがたつきもなく、且つ高い強度でパネルを取り付けているからパネルが荷重を受ける場合にも適用できる。
【０００７】
【発明の実施の形態】
以下に、添付図面を参照して本発明の実施の形態を詳細に説明する。図１は本発明の実施の形態にかかるパネル組立て体の連結シャフトとパネルとの取付部分を示し、図１（ａ）は図４（ａ）に示すＡ部の縦断面図であり、（ｂ）は図１（ａ）に示すＢ部の拡大図であり、図２は図４（ａ）に示すＡ部の分解斜視図であり、図３は図４（ａ）に示すＡ部の横断面図であり、図４は本実施の形態にかかるパネル組立て体を示し、（ａ）は正面図であり、（ｂ）は側面図である。
本発明の実施の形態にかかるパネル組立て体１は、間仕切りを兼ねた棚であり、棚用パネル（パネル）３と背面パネル５を、連結シャフト７と、パネル支持部材９と、抜け止めボルト１１で連結して組立てられている。本実施の形態では、棚用パネル３と、連結シャフト５とパネル支持部材９は、それぞれ金属製であり、背面パネル５はガラス製である。
連結シャフト７は、一方側フランジ１３と、中間フランジ１７と、他方側フランジ１５とをこの順序で周方向に間隔をおいて設けてあり、各フランジ１３、１５、１７は連結シャフトの半径方向外方に突出して、且つ連結シャフト７の長手方向に沿って設けられている。
中間フランジ１７は、基端部に肉厚部１９と、先端部に曲面部２１とを備え、基端部と先端部との間の中間部に一方側傾斜部２３と他方側傾斜部２５とを備えている。一方側傾斜部２３及び他方側傾斜部２５は、中間フランジの基端部側よりも先端部側が外方に突出するように傾斜しており、換言すれば、基端部から先端部に向けて両者の間隔を互いに広げるように傾斜している。
一方側フランジ１３と他方側フランジ１５とは、棚用パネル３がこれらのフランジ１３、１５間に嵌合する間隔をあけて、棚用パネル３を外側から挟んで圧接しているとともに、中間フランジ１７は棚用パネル３内に圧入されている。
棚用パネル３は、対向するパネル面３ｃ、３ｄ間に、仕切り部２７が設けられており、仕切り部２７の側端には連結シャフト７の中間フランジ１７と係合する係合部２９が設けられている。
棚用パネル３の係合部２９には、仕切り部２７に設けられた一方側突部３１と、他方側突部３３とが対向して設けられており、一方側突部３１には、中間フランジ１７の一方側傾斜部２３を呑み込む凹部３５が設けられている。他方の係合部３３には、他方側傾斜部２５を呑み込む凹部３７が設けられている。また、一方側突部３１には、中間フランジ１７の一方側傾斜部２３に圧接する一方側当接部３９が設けられており、他方側突部３３には、他方側傾斜部２５に圧接する他方側当接部４１が設けられている。
一方側突部３１と他方側突部３３とが連結されている連結部４３には、略く字状の凹部４５が設けられており、この凹部４５に中間フランジ１７の曲面部２１が圧接されている。
また、中間フランジ１７の基端部では、中間フランジ１７の肉厚部１９が、一方側突部３１と他方側突部３３との間に位置して、一方側突部３１を一方側フランジ１３に向けて圧接し、他方側突部３３を他方側フランジ１３に向けて圧接している。更に、中間フランジ１７の基端部側において、棚用パネル３は一方側フランジ１３と他方側フランジ１５とに挟持されている。
尚、棚用パネル３は、前側パネル３ａと後側パネル３ｂとを接続部４９により接続されて構成している（図２参照）。接続部４９は、前側パネル３ａに後側パネルに設けた一方側Ｕ字状溝５１と他方側Ｕ字状溝５３に、それぞれに対応する後側パネルの一方側突条５５と他方側突条を嵌合して連結されており、強固な連結が図られている。
次に、背面パネルの取り付けについて説明する。棚用パネル３の後端にはパネル支持部材９が嵌合されており、このパネル支持部材９が背面パネル５の下端５ａを受けるとともにパネル支持部材９が抜け止めボルト１１により連結シャフト７の後端面７ｂに固定されている。
棚用パネル３の後端３ｅには、パネル支持部材９の嵌合部６５が設けられており、パネル支持部材９にはその片側面に凸部６７が形成されており、パネル支持部材９が棚用パネル３の嵌合部６５に圧入されると、凸部６７が嵌合部６５に設けられた嵌合片６９を乗り越えて配置され、装着後にパネル支持部材９が抜け難くなっている。
パネル支持部材９の長手方向端は連結シャフト７の後端に位置しており、連結シャフト７の後端面７ｂには雌ネジ孔６０が形成されている。抜け止めボルト１１を雌ネジ孔６０に螺合して抜け止めボルト１１の頭部６３で背面パネル５及びパネル支持部材９の抜けを防止している。即ち、パネル支持部材９が受けている背面パネル５を抜け止めボルト１１の頭部６３で連結シャフト７の後端面７ｂに挟んでいる。
尚、背面パネル５は、抜け止めボルト１１に挟まれる位置にある角が落とされており、抜け止めボルト１１の頭部６３に係合しやすくなっている。
また、連結シャフト７の後端面７ｂと抜け止めボルト１１の頭部６３との間には、スペーサ７３が介在されており、抜け止めボルト１１の螺進を制限し、背面パネル５が押し潰さないようになっている。
スペーサ７５には、背面パネル５に当接する当接片７５が設けられており、当接片７５は背面パネルに当接して背面パネル５のがたつきを防止している。
尚、連結シャフト７の前側端に螺合されているのは化粧ボルト８１である。また、図１において、符号８３は床側アジャスタであり、８５は天井アジャスタである。
【０００８】
次に、本実施の形態にかかるパネル組立て体１の組立て及び作用について説明する。パネル組立て体１の組立ては、連結シャフト７の長手方向の一端側から一方側フランジ１３と他方側フランジ１５との間で棚パネル３を長手方向に圧入して、棚パネル３を連結シャフト７に装着する。尚、前側パネル３ａは連結シャフト７の前側端から圧入し、後側パネル３ｂは後側端から圧入し、前側パネル３ａの後側端と後側パネル３ｂの前側端とを接続部４９で嵌合して両者を接続して棚パネル３としている。
棚パネル３を組立てた状態では、連結シャフト７の一方側フランジ１３と他方側フランジ１５とで棚パネル３を挟着すると共に、棚パネル３内では、一方側突部３１が中間フランジ１７の肉厚部１９と一方側傾斜部２３に圧接し、他方側突部３３が中間フランジ１７の肉厚部１９と他方側傾斜部２３に圧接し、略く字状の凹部３７に中間フランジ１７の曲面部が圧接する。
一方側突部３１では、中間フランジ１７の一方側傾斜部２３に圧接するので、中間フランジ１７により一方側傾斜部２３では、図１（ｂ）に矢印で示すように、互いに直交するＥ及びＦ方向に圧接力が作用し、く字状の凹部４５では、Ｅ及びＧ（Ｆと反対の方向）方向に圧接力が作用し、肉厚部１９では一方側突部３１にＥ方向に圧接力を作用し、一方側フランジからはＨ方向に圧接力を作用する。同様に他方の係合部３３でも、Ｅ、Ｆ、Ｇ、Ｈの四方の力が作用する（図１（ｂ）参照）。このように、棚パネル３は、連結シャフト７との間で多数の点で強い圧接力を受けているから連結シャフトの軸方向のがたつきがなく、軸方向に交差する方向においても互いに反対方向となる力を四方から受けるので、がたつきがなく且つ強固に固定することができる。
次に、棚用パネル３の背面側端部３ｅにパネル支持部材９を嵌合し、このパネル支持部材９で背面パネル５の下端を受ける。そして、連結シャフト７の後端面に形成された雌ネジ孔６０に抜け止めボルト１１を螺合して、スペーサ７３を介在させて抜け止めボルト１１の頭部６３で背面パネル５及びパネル支持部材１１を挟む。
このように、パネル組立て体１の組立ては、棚パネル３、背面パネル５、パネル支持部材９の圧入、嵌合等と抜け止め防止ボルト１１の螺合によりでき、棚パネル３や背面パネル５等の各所をドライバーを用いたネジ留め作業が必要ないので、組立て施工性に優れる。また、ネジ留めがないので、外観もよい
【０００９】
本発明は、上述した実施の形態に限らず、本発明の要旨を逸脱しない範囲で種々変形可能である。
連結シャフト７に設けた一方側フランジ１３と中間フランジ１７と他方側フランジ１５とは、これら３つを一組として、２組や４組設けるものであってもよく、何組設けるものであってもよい。
棚用パネル３は前側パネル３ａと後側パネル３ｂとを嵌合して構成したが、一枚のパネルであっても良い。
パネル組立て体１は、棚に限らず、サイドボードや間仕切り等であってもよく、その用途は限定されない。
パネル支持部材９に設けた凸部６７は、棚用パネル３の両面側にそれぞれ設けてもよく、または、なくとも良い。
【００１０】
【発明の効果】
請求項１に記載の発明によれば、パネル組立て体の組立ては、連結シャフトにパネルを装着して組立てでき、パネルの各所をドライバーを用いてネジ留めする作業が必要ないので、組立て施工性に優れる。また、ネジ留めがないから、外観が良い。
パネルを組立てた状態では、パネルは連結シャフトの一方側フランジと他方側フランジとに挟着されると共に、パネルの一方側突部と他方側突部とが中間フランジの肉厚部と、一方側傾斜部、他方側傾斜部、曲面部に当接し、パネルは四方が当接しているので、連結シャフトの長手方向及びこれと交差する方向のいずれにおいてもがたつきのない強度の高い取付ができる。このようにパネルと連結シャフトとを強度の高い取り付けができるから、パネルが荷重を受ける場合にも適用できる。
【００１１】
【図面の簡単な説明】
【図１】図４（ａ）に示すＡ部の図であり、（ａ）は縦断面図であり、（ｂ）は図１（ａ）に示すＢ部の拡大図である。
【図２】図４（ａ）に示すＡ部の分解斜視図である。
【図３】図４（ａ）に示すＡ部の横断面図である。
【図４】本実施の形態にかかるパネル組立て体を示し、（ａ）は正面図であり、（ｂ）は側面図である。
【符号の説明】
１    パネル組立て体
３    棚用パネル（パネル）
５    背面パネル
７    連結シャフト
９    パネル支持部材
１１  抜け止めボルト
１３  一方側フランジ
１５  他方側フランジ
１７  中間フランジ
１９  肉厚部
２１  曲面部
２３  一方側傾斜部
２５  他方側傾斜部
３１  一方側突部
３３  他方側突部
３５、３７  凹部
４３  連結部
４５  く字状の凹部
６３  抜け止めボルトの頭部
【図１】
2004215678.tif 000003
【図２】
2004215678.tif 000004
【図３】
2004215678.tif 000005
【図４】
2004215678.tif 000006